【手続補正書】
【提出日】平成19年4月11日(2007.4.11)
【手続補正１】
【補正対象書類名】明細書
【補正対象項目名】全文
【補正方法】変更
【補正の内容】
【発明の詳細な説明】
【発明の名称】システム  キッチンのシンク部水切り方法
【技術分野】
【０００１】本発明は、システム  キッチンのシンク付近の濡れた生ゴミ入れ、タワシ、洗剤等の水切り方法を改善し、シンク内スペースを広げて、作業能率を改善しようとするものである。
【背景技術】
【０００２】（イ）従来のシンクでは、濡れたタワシはシンク内壁面に吸着させた「タワシ水切り器」に入れる。食材生ゴミは、シンク内に置かれた通称「三角コーナー」に入れる。濡れたまな板は吊るして、下に「水滴受け器」を置く必要がある。
（ロ）最近のシンクでは、水栓を片隅に置いて、シンクの壁面側中央部を凹ませて、そこにステンレス製の籠を吊るし、タワシと洗剤ボトルを入れている。
食材生ゴミは、排水口内に置かれた薄型網籠に溜まるようになっている。
【発明の開示】
【発明が解決しようとする課題】
【０００３】  そのために、次のような問題点が生じる。
（イ）従来のシンクでは、タワシや三角コーナーがシンク内にあり、狭い作業スペースの邪魔になっている。まな板を吊るすスペースと「水滴受け器」の置場も必要であり、溜まった水を捨て、その「器」も洗う余分な作業が生ずる。
（ロ）最近のシンクでは、水栓位置が片隅にあるため、シンクの反対隅に水が届かなくなる。また、中央部の凹み部はタワシと、洗剤ボトルの置場にしか利用できない。
排水口内の生ゴミ受けの量は少なく、野菜の剥いた皮、魚の切り落した頭や腸の始末、更には、排水口内の生ゴミの捨て先に困り、結局従来の「三角コーナー」を使っているのが実情とのことである。
本発明は、以上の諸問題を解決するためのものである。
【課題を解決するための手段】
【０００４】家庭用シンクの中央水栓の場合、水栓の両側夫々約３０ｃｍ、奥行き約１０ｃｍのスペースがある。従来、このスペースは洗剤ボトルと、石鹸等の置場になっており、充分活用されていない。
本発明はこのスペースを有効活用しようとするものである。その手段として、
（１）このスペースに「奥からシンク内部方向に緩い傾斜」を付ける。
（２）この傾斜面の上に、金網を水平に支持する。
（３）この金網の上に、濡れたタワシを置けば、タワシの水分は網を通して傾斜面に落ち、シンク内に流れ落ちる。
この考え方が基本で、実用化には種々の工夫と器具が考えられる。
【発明の効果】
【０００５】これにより、具体的には
（１）シンク内から、「三角コーナー」と「タワシ水切り器」を排除し、シンク内の作業スペースが広がり、排水口内の生ゴミ取りの頻度を減らす。
（２）タワシを水栓横に移動させれば、乾きが早くなり、衛生的になる。
（３）「水滴受け器」が不用になり、水を捨てる手間を省き、衛生的になる。
（４）広い「水切りスペース」が出現するので、今迄この付近に置けなかった「まな板」、調味料等まで置けるようになった。
この様に、この発明による効果は以下の諸点が期待できる。
（１）作業スペースが広がり、作業の効率が上がる。
（２）シンク内の濡れた物が、上がり乾き易くなるので、衛生的になる。
（３）水栓両側の有効スペースが広がり、今迄置けなかった物が置ける。
（４）その効果の割りに、コストが掛からない。
【発明を実施するための最良の形態】
【０００６】  以下、本発明の実施の形態を、図で説明する。
（Ａ）［図１］は、本発明機能を付けた新製品シンクのＭ型である。
（１）構造
［図１］で、１は中央にある水栓で、排水口の図は省略した。
水栓１の両側に傾斜面２を付ける。
多数の縦線は、山岳Ｍｏｕｎｔａｉｎ地帯に例えれば、山の峰続きを現し、その頂上線を、天板と同じ高さにする。
縦線の間は渓谷に相当し、上流部は、天板レベルより３ｍｍ程低く、下流部即ちシンクに面する所では、天板レベルより８ｍｍ程低くする。
＊縦線間隔より広い幅の物を、傾斜面「２」の上に置いても、滑り落ちない。
「三角コーナー」も形を変えて、また濡れたボトル類も「２」の上に置ける。
（２）更なる活用方法
［図２］はステンレス或いは合成樹脂製多孔底面付「水切りケース」である。
生ゴミは、ポリエチレン袋に入れて、大ケース６（幅２０ｃｍ、奥行１０ｃｍ、深さ１０ｃｍ位）の中へ、洗剤他ボトル類は小ケース７（幅１１ｃｍ、深さ５ｃｍ位）へ入れ、「２」に置けば片付く。
［図３］は、ステンレス製「水切り網」８（３１ｃｍＸ１０ｃｍ）を「２」に載せれば、奥側１／３スペースは、［まな板たて９］、前側２／３スペースは［タワシ類、石鹸、その他］の広い置場になる。ここに置かれた物が、シンク内に落下しないように、「落下ストパー」１０を付けた。
［註］
（１）Ｍ型では、峰幅より広い物は、ケースや網を使用しなくても、水切り出来るが、使用した方が片付き、収容量が増す。
（２）生ゴミが天板の高さに上がるので、「生ゴミケース」６の位置は、調理スペースから離れた所に置いた方が衛生的と思う。
尚、「水切りケース」５は左右の向きを変えて置くことができる。【０００７】（Ｂ）新製品のシンク案として、〔図４〕のＳ型傾斜面１１がある。
（１）構造
上記Ｍ型の「２」の部分を総て平らな傾斜Ｓｌｏｐｅ面にし、その傾斜角はＭ型と同じ、奥でー３ｍｍ、シンク入口で、−８ｍｍ位の傾斜にする。
（２）使用方法
この場合は、ケースや網を支える峰がないので、〔図１〕より傾斜面１１の幅を若干狭くし、「水きりケース５」、「水きり網８」が、Ｓ型傾斜面１１を跨ぐように設計すれば、上記５と８の同一規格品が使用できる。
（３）「水切りケース」５と「水切り網」８の固定方法
〔図４〕のように、各傾斜面横の天板に、４個ずつの突起１２を付ける。この突起を、「水切りケース」５の下部対応点の凹みと勘合させれば、５は固定する。「水切り網」８の場合は網目が突起１２と勘合するように作れば良い。突起の高さは網の厚さと同じにする。【０００８】（Ｃ）既製シンク用傾斜台
構造と機能
既製シンクと新製品シンクとの違いは、傾斜面の有無であるから、既製シンクの水栓両側に〔図５〕のような「既製シンク用傾斜台」を置き、上記「水切りケース」５と、「水切り網」８を勘合させれば、新製品と同じ機能を発揮させることが出来る。
〔図５〕について説明する。ケースの材質は「水切りケース」５と同じにする。その内部に「Ｓ型傾斜面」１１と同じ様に、上から落ちる水滴をシンク内に落とし込む傾斜面を付ける。
ケース壁面４箇所に〔図５〕のような、短い突起１２を付ける。この突起は上記、Ｓ型シンクの突起と全く同じ目的で付けられている。
この突起方法で、「水切りケース」５と「水切り網」８は、Ｍ型、Ｓ型、既存のシンクに同一規格で製品が供給できる。
【図面の簡単な説明】
【０００９】
【図１】本発明のＭ型シンクの平面図
【図２】本発明の各型シンクに兼用の水切りケースの斜視図
【図３】本発明の各型シンクに兼用の水切り網の斜視図
【図４】本発明のＳ型シンクの斜視図
【図５】本発明の既設シンク用傾斜台の斜視図
【符合の説明】
【００１０】  １        水栓
２        Ｍ型傾斜面
３        シンク天板
４        シンク部
５        水切りケース
６        生ゴミ用ケース
７        ボトル用ケース
８        水切り網
９        まな板たて
１０        落下ストッパー
１１        Ｓ型傾斜面
１２        勘合用突起
１３        水栓位置
【手続補正２】
【補正対象書類名】図面
【補正対象項目名】全図
【補正方法】変更
【補正の内容】
【図１】
2005323959.tif 000001
【図２】
2005323959.tif 000002
【図３】
2005323959.tif 000003
【図４】
2005323959.tif 000004
【図５】
2005323959.tif 000005